(57)【要約】【課題】主流領域と副流領域を精度良く予測することができる気流計測装置を提供する。【解決手段】送風機１０が動作する室内に配置された複数の浮遊塵埃検知手段１２Ａ、１２Ｂと気流予測手段１３によって構成され、気流予測手段１３は、浮遊塵埃検知手段１２Ａ、１２Ｂによって検知される浮遊塵埃の量から、浮遊塵埃検知手段１２Ａ、１２Ｂのそれぞれの周囲が、送風機１０による空気が流れる主流領域か、副流領域かを予測し、その予測した主流領域同士と副流領域同士をそれぞれつなぎ合わせて、室内全体の主流領域と副流領域の空間分布を予測するもので、主流領域では浮遊塵埃の一部が除去され浮遊塵埃が少ないのに対し、浮遊塵埃がとどまりやすい副流領域では浮遊塵埃が多いことから、主流領域と副流領域を予測でき、予測した領域同士をつなぎ合わせること、浮遊塵埃の量を計測できない場所が、主流領域であるのか副流領域であるのかを予測することができる。【選択図】図１
2011024844.tif 000002
【特許請求の範囲】
【請求項１】
送風機が動作する室内に配置された複数の浮遊塵埃検知手段と気流予測手段によって構成され、前記気流予測手段は、前記浮遊塵埃検知手段によって検知される浮遊塵埃の量から、前記浮遊塵埃検知手段のそれぞれの周囲が前記送風機より吹き出された空気及び／または前記送風機に吸引される空気が流れる主流領域か、前記主流領域ではない副流領域のどちらに属するのかを予測し、その予測した前記主流領域同士と前記副流領域同士をそれぞれつなぎ合わせることで、前記室内全体の主流領域と副流領域の空間分布を予測することを特徴とする気流計測装置。
【請求項２】
気流予測手段は、浮遊塵埃検知手段のそれぞれの周囲の主流領域同士と副流領域同士をつなぎ合わせる際に、室内全体の主流領域の数が、送風機の数以下となるように空間分布を予測するようにした請求項１に記載の気流計測装置。
【請求項３】
気流予測手段は、それぞれの浮遊塵埃検知手段の周囲が主流領域と副流領域のどちらに属するのかを、浮遊塵埃の量の時間変化から予測するようにした請求項１に記載の気流計測装置。
【請求項４】
気流予測手段は、それぞれの浮遊塵埃検知手段の周囲が主流領域と副流領域のどちらに属するのかを、前記浮遊塵埃検知手段のそれぞれで検知される浮遊塵埃の量の時間変化を比較して予測するようにした請求項３に記載の気流計測装置。
【請求項５】
気流予測手段は、同一領域同士をつなぎ合わせることで室内全体の主流領域と副流領域の空間分布を予測する際に、それぞれの浮遊塵埃検知手段で検知された浮遊塵埃の量を比較して、主流領域と副流領域のつながり方を予測するようにした請求項１に記載の気流計測装置。
【請求項６】
請求項１〜５のいずれか１項に記載の気流計測装置を有し、予測された主流領域と副流領域の空間分布に応じて気流を変化させるようにした室内用集塵装置。
【発明の詳細な説明】
【技術分野】
【０００１】
本発明は、送風機が発生させる主流領域と副流領域の空間分布を予測する気流計測装置とそれを用いた室内用集塵装置に関するものである。
【背景技術】
【０００２】
従来、この種の気流計測装置としては、浮遊粒子にレーザー光を照射することで粒子の動きを可視化し気流を計測しているものがあり、レーザー光を照射する領域を変化させることで、より広い領域の気流を計測しているものがあった（例えば、特許文献１参照）。
【０００３】
図９は、前記特許文献１に記載された従来の気流計測装置の全体構成図を示すものである。
【０００４】
図９において、従来の気流計測装置は、レーザー発光部１と、レーザー反射部２と、受光部３から構成されている。レーザー発光部１から照射されたレーザー光４は、レーザー反射部２によって反射され浮遊粒子５に到達する。レーザー光４が、浮遊粒子５に当たることで散乱光６が発生し、その散乱光６を受光部３で観測することで浮遊粒子５の動きを計測することが出来る。浮遊粒子５は、気流に乗って移動するため、浮遊粒子５の動きから気流を計測することが出来る。
【０００５】
また従来、この種の室内用集塵装置としては、気流によって集塵を行う集塵手段と、気流計測装置を有し、気流を計測することで、集塵手段による集塵が可能か調べているものがあった（例えば、特許文献２参照）。
【０００６】
図１０は、前記特許文献２に記載された従来の室内用集塵装置が設置された室内の平面図を示すものである。
【０００７】
図１０において、従来の集塵のための気流を発生させる室内用集塵装置７は、気流計測装置８を有している。気流計測装置８は、室内用集塵装置７によって発生した気流を検知することができるか否かによって、気流計測装置８の周囲の浮遊塵埃９を集塵出来るかどうかを判断する。また気流計測装置８は、室内を自由に持ち運ぶことが可能に構成されている。この気流計測装置８の判断に基づいて、室内用集塵装置７は動作を変化させ、気流計測装置８の周囲の浮遊塵埃９を確実に集塵し空気を清浄にするようになっている。
【先行技術文献】
【特許文献】
【０００８】
【特許文献１】特開平７−３５７６４号公報
【特許文献２】特開平１１−１９３９４４号公報
【発明の概要】
【発明が解決しようとする課題】
【０００９】
しかしながら、前記従来の特許文献１に記載されたような従来の気流計測装置では、空間全体の気流を検知するためには空間全体にレーザー光を照射する必要があるため、使い勝手が悪く、また大掛かりな装置が必要になるという課題を有していた。
【００１０】
さらに、気流計測装置が計測した気流を、例えば空調や集塵といった目的で動作される送風機の動作の制御に活用し効率よく動作させるためには、気流を計測するだけでなくそれぞれの計測位置が、送風機より吹き出された空気及びまたは送風機に吸引される空気が
流れる主流領域なのか、主流領域ではない副流領域なのかを詳しく調べる必要がある。しかしながら、前記従来の気流計測装置では、主流領域と副流領域を判断するために、それぞれの位置で検知した気流から部屋全体の空気の流線を導く必要があり複雑な処理が必要になるという課題を有していた。
【００１１】
また、前記特許文献２に記載されたような従来の室内用集塵装置７の構成では、気流計測装置８の周囲の空気を清浄に保つことは出来るが、気流計測装置８から離れた領域の気流を調べることができず、室内全体を清浄に保つことは出来ないという課題を有していた。
【００１２】
本発明は、上記従来の課題を解決するもので、簡潔な構成で、送風機が発生させる主流領域と副流領域の空間分布を精度良く予測することができる気流計測装置とそれを用いた室内用集塵装置を提供することを目的とする。
【課題を解決するための手段】
【００１３】
前記従来の課題を解決するために、本発明の気流計測装置は、送風機が動作する室内に配置された複数の浮遊塵埃検知手段と気流予測手段によって構成され、前記気流予測手段は、前記浮遊塵埃検知手段によって検知される浮遊塵埃の量から、前記浮遊塵埃検知手段のそれぞれの周囲が前記送風機より吹き出された空気及び／または前記送風機に吸引される空気が流れる主流領域か、前記主流領域ではない副流領域のどちらに属するのかを予測し、その予測した前記主流領域同士と前記副流領域同士をそれぞれつなぎ合わせることで、前記室内全体の主流領域と副流領域の空間分布を予測するもので、主流領域では送風機によって浮遊塵埃の一部が除去され、同時に副流領域の気流は主流領域に比べて遅いため主流領域の気流に乗れず副流領域へと移動した浮遊塵埃の多くは副流領域にとどまるため主流領域の浮遊塵埃量は少なくなる。このため浮遊塵埃量から主流領域と副流領域を予測することができる。さらに浮遊塵埃量を計測し主流領域であるか副流領域であるかを予測した空間同士をつなぎ合わせることで浮遊塵埃量を計測できない場所が主流領域であるのか副流領域であるのかを予測することができる。
【００１４】
また、浮遊塵埃量から送風機が発生させる主流領域と副流領域の空間分布を予測する構成とすることで、簡潔な構成でかつ室内の気流を詳しく調べる手間なく例えば気流による空調や集塵にとって重要な室内のどこまでの領域に主流が形成されているのかを調べることができる。
【００１５】
また、本発明の室内用集塵装置は、請求項１〜５のいずれか１項に記載の気流計測装置を有し、予測された主流領域と副流領域の空間分布に応じて気流を変化させるようにしたもので、簡潔な構成で室内の気流を詳しく知ることができ部屋全体の浮遊塵埃を漏れなく回収することができる。
【発明の効果】
【００１６】
本発明の気流計測装置は、簡潔な構成で室内の気流を詳しく調べることができるため、家庭などへの導入が容易に可能となる。また室内の気流を詳しく調べることができるため、送風機を効率よく動作させることができるようになる。
【図面の簡単な説明】
【００１７】
【図１】本発明の実施の形態１における気流計測装置の設置された室内の平面図
【図２】（ａ）同気流計測装置による主流領域の部分的な空間分布予測を示す室内の平面図、（ｂ）同気流計測装置による主流領域のより広範囲な空間分布予測を示す室内の平面図
【図３】（ａ）同気流計測装置による主流領域と副流領域の空間分布予測の一例を示す室内の平面図、（ｂ）同気流計測装置による主流領域と副流領域の空間分布予測の他の一例を示す室内の平面図
【図４】本発明の実施の形態２における気流計測装置が設置された室内の平面図
【図５】（ａ）同気流計測装置による主流領域と副流領域の空間分布予測の一例を示す室内の平面図、（ｂ）同気流計測装置による主流領域と副流領域の空間分布予測の他の例を示す室内の平面図
【図６】弱風時の同気流計測装置が設置された室内の平面図
【図７】（ａ）弱風時における主流領域と副流領域の空間分布予測の一例を示す室内の平面図、（ｂ）弱風時における主流領域と副流領域の空間分布予測の他の例を示す室内の平面図
【図８】（ａ）本発明の実施の形態３における室内用集塵装置が設置された室内の平面図、（ｂ）同室内用集塵装置動作変更後の室内の平面図
【図９】従来の気流計測装置の全体構成図
【図１０】従来の室内用集塵装置が設置された室内の平面図
【発明を実施するための形態】
【００１８】
第１の発明は、送風機が動作する室内に配置された複数の浮遊塵埃検知手段と気流予測手段によって構成され、前記気流予測手段は、前記浮遊塵埃検知手段によって検知される浮遊塵埃の量から、前記浮遊塵埃検知手段のそれぞれの周囲が前記送風機より吹き出された空気及びまたは前記送風機に吸引される空気が流れる主流領域か、前記主流領域ではない副流領域のどちらに属するのかを予測し、その予測した前記主流領域同士と前記副流領域同士をそれぞれつなぎ合わせることで、前記室内全体の主流領域と副流領域の空間分布を予測するもので、主流領域では送風機によって浮遊塵埃の一部が除去され、同時に副流領域の気流は主流領域に比べて遅いため主流領域の気流に乗れず副流領域へと移動した浮遊塵埃の多くは副流領域にとどまるため主流領域の浮遊塵埃量は少なくなる。このため浮遊塵埃量から主流領域と副流領域を予測することができる。さらに浮遊塵埃量を計測し主流領域であるか副流領域であるかを予測した空間同士をつなぎ合わせることで浮遊塵埃量を計測できない場所が主流領域であるのか副流領域であるのかを予測することができる。また、浮遊塵埃量から送風機が発生させる主流領域と副流領域の空間分布を予測する構成とすることで、簡潔な構成でかつ室内の気流を詳しく調べる手間なく例えば気流による空調や集塵にとって重要な室内のどこまでの領域に主流が形成されているのかを調べることができる。
【００１９】
第２の発明は、特に、第１の発明の気流予測手段は、浮遊塵埃検知手段のそれぞれの周囲の主流領域同士と副流領域同士をつなぎ合わせる際に、室内全体の主流領域の数が、送風機の数以下となるように空間分布を予測するようにしたもので、より簡単で確実に主流領域と副流領域の空間分布を予測することができる。
【００２０】
第３の発明は、特に、第１の発明の気流予測手段は、それぞれの浮遊塵埃検知手段の周囲が主流領域と副流領域のどちらに属するのかを、浮遊塵埃の量の時間変化から予測するようにしたもので、例えば、浮遊塵埃が新たに発生し一時的に浮遊塵埃が多い場合や浮遊塵埃の減少速度が遅く浮遊塵埃量が少なくなりにくい状況などであっても正確に主流領域と副流領域の空間分布を予測することができる。
【００２１】
第４の発明は、特に、第３の発明の気流予測手段は、それぞれの浮遊塵埃検知手段の周囲が主流領域と副流領域のどちらに属するのかを、前記浮遊塵埃検知手段のそれぞれで検知される浮遊塵埃の量の時間変化を比較して予測するようにしたもので、それぞれの浮遊塵埃検知手段で検知される浮遊塵埃量のみから主流領域と副流領域の空間分布を予測する場合に比べより正確な予測を行うことができる。
【００２２】
第５の発明は、特に、第１の発明の気流予測手段は、同一領域同士をつなぎ合わせることで室内全体の主流領域と副流領域の空間分布を予測する際に、それぞれの浮遊塵埃検知手段で検知された浮遊塵埃の量を比較して、主流領域と副流領域のつながり方を予測するようにしたもので、より確実に主流領域と副流領域の空間分布を予測することができる。
【００２３】
第６の発明に係る室内用集塵装置は、請求項１〜５のいずれか１項に記載の気流計測装置を有し、予測された主流領域と副流領域の空間分布に応じて気流を変化させるようにしたもので、簡潔な構成で室内の気流を詳しく知ることができ部屋全体の浮遊塵埃を漏れなく回収することができる。
【００２４】
以下、本発明の実施の形態について、図面を参照しながら説明する。なお、本実施の形態によって本発明が限定されるものではない。
【００２５】
（実施の形態１）
本発明の実施の形態１における気流計測装置について、図１〜３を用いて説明する。図１は、本実施の形態における気流計測装置が設置された室内の平面図を示すものである。
【００２６】
図１において、室内には、送風機１０と、気流計測装置としての複数の浮遊塵埃検知手段１２Ａ、１２Ｂと気流予測手段１３が配置されている。また室内には、家具１４が配置され、また浮遊塵埃１５が存在する。
【００２７】
送風機１０より吹き出された空気は、室内を流れ再び送風手段１０へと吸引される主流１６となっている。浮遊塵埃検知手段１２Ａ、１２Ｂは、周囲の空気を吸引し吸引した空気に含まれる浮遊塵埃１５の数を調べる構成となっている。また、浮遊塵埃検知手段１２Ａ、１２Ｂのそれぞれは、気流予測手段１３と通信可能に構成されている。
【００２８】
図１においては、浮遊塵埃検知手段１２Ａの周囲では、主流１６が形成されており浮遊塵埃１５が少なくなっているが、残りの浮遊塵埃検知手段１２Ｂの周囲では、浮遊塵埃１５が多く浮遊している。
【００２９】
図２（ａ）は、同気流計測装置による主流領域の部分的な空間分布予測を示す室内の平面図であり、図２（ｂ）は、同気流計測装置による主流領域のより広範囲な空間分布予測を示す室内の平面図である。
【００３０】
図２（ａ）において、浮遊塵埃検知手段１２Ａの周囲が主流領域１７と予測されており、浮遊塵埃検知手段１２Ｂの周囲は、副流領域１８と予測されている。
【００３１】
図２（ｂ）において、室内には、２つの大きな主流領域１７と、２つの小さな副流領域１８が存在すると予測されている。
【００３２】
図３（ａ）は、同気流計測装置による主流領域１７と副流領域１８の空間分布予測の一例を示す室内の平面図であり、図３（ｂ）は、同気流計測装置による主流領域と副流領域の空間分布予測の他の一例を示す室内の平面図である。
【００３３】
図３（ａ）においては、主流領域１７は、室内に１つ存在すると予測されており、副流領域１８は、部屋の隅の２か所に存在している。この空間予測は実際と一致している。
【００３４】
図３（ｂ）においては、主流領域１７は、室内に２つ存在すると予測されており、副流領域１８が部屋の中央に存在している。この空間予測は実際と一致していない。
【００３５】
以上のように構成された本実施の形態における気流計測装置について、以下その動作、作用を説明する。
【００３６】
まず、室内で送風機１０が動作している場合、室内には、主流領域１７と副流領域１８が形成されている。主流領域１７では、主流１６が送風機１０を通過する際に送風機１０によって浮遊塵埃１５の一部が除去され、同時に、副流領域１８の気流は主流領域１７に比べて遅いため主流領域１７の気流に乗れず副流領域１８へと移動した浮遊塵埃１５の多くは副流領域１８にとどまるため、主流領域１７の浮遊塵埃１５の量は少なくなる。
【００３７】
気流計測装置が動作すると、浮遊塵埃検知手段１２Ａ、１２Ｂのそれぞれは、周囲の空気を吸引し空気に含まれる浮遊塵埃１５の数を調べ、検知した浮遊塵埃１５の数を気流予測手段１３へと通信する。
【００３８】
気流予測手段１３は、浮遊塵埃検知手段１２Ａ、１２Ｂのそれぞれで検知された浮遊塵埃１５の数があらかじめ設定された値に比べ少ない場合に、その浮遊塵埃１５の少なかった浮遊塵埃検知手段１２Ａの周囲を、主流領域１７であると予測し、逆に浮遊塵埃１５の多かった浮遊塵埃検知手段１２Ｂの周囲を、副流領域１８であると予測することで、図２（ａ）に示すように部分的な空間分布を予測する。
【００３９】
さらに気流予測手段１３は、部分的に予測された空間分布からそれぞれの主流領域１７同士と副流領域１８同士をつなぐことで、部屋全体の主流領域１７と副流領域１８を予測する。まず隣り合った浮遊塵埃検知手段１２Ａ又は１２Ｂの周囲が、同じ主流領域１７同士や同じ副流領域１８同士であると予測された場合には、それらは１つの大きな主流領域１７または副流領域１８の一部であると予測しこれらをつないでいく。図２（ａ）示すような場合では、主流領域１７が並んでいるためこれらをつないでいく。この作業を行うことで気流予測手段１３では、図２（ｂ）に示すように大きな２つの主流領域１７と小さな副流領域１８が存在するように空間分布が予測される。
【００４０】
隣り合った浮遊塵埃検知手段１２Ａ又は１２Ｂの周囲が同じ領域であった場合にそれらを一つにまとめる作業を行ったため、室内には、主流領域１７と副流領域１８が隣り合って存在するように予測されている。また部屋の中央部が、主流領域１７に属するのか副流領域１８なのかを予測できていない。
【００４１】
ここで気流予測手段１３は、さらに主流領域１７同士と副流領域１８同士をつなぎ合わせる作業を行う。主流領域１７同士をつなぎ合わせた場合における部屋全体の領域の空間分布は図３（ａ）に示すようになり、副流領域１８同士をつなぎ合わせた場合には図３（ｂ）に示すように部屋全体の空間分布が予測される。
【００４２】
ここで気流予測手段１３は、送風機１０の数を用いて予測を行う。本実施の形態では、送風機１０は、１台であるためそれによって形成される主流１６は１つのみとなる。したがって主流領域１７も１つになっていなければならない。そのため、主流領域１７は、図３（ａ）に示されたように主流領域１７同士をつなぎ合わせ最終的な空間分布の予測とする。
【００４３】
なお、本実施の形態において送風機１０は、室内から空気を吸引し室内へと吹き出す構成としたが、例えば、換気扇のように室外に対して空気の吸引及びまたは吹き出しを行う構成としてもかまわない。
【００４４】
（実施の形態２）
本発明の実施の形態２における気流計測装置について図４〜７を用いて説明する。図４
は、本実施の形態における気流計測装置が設置された室内の平面図を示すものである。なお、上記実施の形態１における気流計測装置と同一部分には、同一符合を付してその説明を省略する。
【００４５】
本実施の形態は、図４に示すように、室内に送風機１０を２台配置し、気流計測装置として、複数の浮遊塵埃検知手段１２Ａ、１２Ｂ、１２Ｃと気流予測手段１３を設けたものである。また室内には、家具１４が配置されていると共に、浮遊塵埃１５が存在する。
【００４６】
一方の送風機１０より吹き出された空気は、室内を流れ、他方の送風機１０へと吸引されている。また吸引された空気は再度送風機１０から吹き出され元の送風機１０へと吸引されている。このように、本実施の形態においては、２台の送風機１０によって１つの大きな主流１６が形成されている。
【００４７】
浮遊塵埃検知手段１２Ａ、１２Ｂ、１２Ｃのそれぞれは、周囲の空気を吸引し、吸引した空気に含まれる浮遊塵埃１５の数を調べる構成となっている。また、浮遊塵埃検知手段１２Ａ、１２Ｂ、１２Ｃのそれぞれは気流予測手段１３と通信可能に構成されている。
【００４８】
浮遊塵埃検知手段１２Ａの周囲では、主流１６によって浮遊塵埃１５が減少していき、逆に、浮遊塵埃検出手段１２Ｂの周囲は浮遊塵埃１５が減少しない。さらに浮遊塵埃検知手段１２Ｃは、家具１４の背部にあるものの若干主流１６が流れ浮遊塵埃量はわずかに減少していく。
【００４９】
図５（ａ）は、同気流計測装置による主流領域と副流領域の空間分布予測の一例を示す室内の平面図であり、図５（ｂ）は、同気流計測装置による主流領域と副流領域の空間分布予測の他の例を示す室内の平面図である。
【００５０】
図５（ａ）において、主流領域１７は、室内に１つ存在すると予測されており、この空間予測は実際と一致している。
【００５１】
図５（ｂ）において、主流領域１７は、室内に２つ存在すると予測されており、この空間予測は実際と一致していない。
【００５２】
図６は、弱風時の同気流計測装置が設置された室内の平面図を示すものである。
【００５３】
図６において、室内には、送風機１０が２台配置されている。弱運転の各送風機１０より吹き出された空気は室内全体を流れずに再び元の送風手段１０へと吸引され、２台の送風機１０はそれぞれ異なる主流１６を形成している。また主流１６の間には渦状に流れる副流１９が形成されている。
【００５４】
図７（ａ）は、弱風時における主流領域と副流領域の空間分布予測の一例を示す室内の平面図であり、図５（ｂ）は、弱風時における主流領域と副流領域の空間分布予測の他の例を示す室内の平面図である。
【００５５】
図７（ａ）において、主流領域１７は、室内に１つ存在すると予測されており、この空間予測は実際と一致していない。
【００５６】
図７（ｂ）において、主流領域１７は、室内に２つ存在すると予測されており、この空間予測は実際と一致している。
【００５７】
以上のように構成された本実施の形態における気流計測装置について、以下その動作、
作用を説明する。
【００５８】
まず、室内で送風機１０が動作している場合、室内には、主流領域１７と副流領域１８が形成されている。主流領域１７では、主流１６が送風機１０を通過する際に送風機１０によって浮遊塵埃１５の一部が除去され、同時に副流領域１８の気流は主流領域１７に比べて遅いため主流領域１７の気流に乗れず副流領域１８へと移動した浮遊塵埃１５の多くは副流領域１８にとどまるため、主流領域１７の浮遊塵埃量１５は減少していく。
【００５９】
気流計測装置が動作すると、浮遊塵埃検知手段１２Ａ、１２Ｂ、１２Ｃは、周囲の空気を吸引し空気に含まれる浮遊塵埃１５の数とその時間変化を調べ、検知した浮遊塵埃１５の数とその時間変化を気流予測手段１３へと通信する。
【００６０】
気流予測手段１３は、浮遊塵埃検知手段１２Ａ、１２Ｂ、１２Ｃのそれぞれで検知された浮遊塵埃１５の数の時間変化が、浮遊塵埃１５の自然落下から計算される減少速度に比べ大きい場合に、その浮遊塵埃１５の減少速度が大きかった浮遊塵埃検知手段１２Ａの周囲を主流領域１７であると予測し、減少速度が小さい浮遊塵埃検知手段１２Ｂの周囲を副流領域１８と予測する。
【００６１】
さらに気流予測手段１３は、それぞれの浮遊塵埃検知手段１２Ａ、１２Ｂ、１２Ｃで検知された浮遊塵埃１５の数の時間変化を互いに比較する。浮遊塵埃検知手段１２Ａでは、浮遊塵埃１５の減少速度は単純に塵埃の自然落下から計算される減少速度に比べ早くなるため、簡単に主流領域１７と判断される。浮遊塵埃検知手段１２Ｃは、主流１６がわずかに流れるのみであるため浮遊塵埃１５の減少速度は周囲に比べて遅い。このことから気流予測手段１３は浮遊塵埃検知手段１２Ｃのきわめて近辺は副流領域１８であると予測し、その外周は主流領域１７になっていると予測する。
【００６２】
さらに気流予測手段１３は、部分的に予測された空間分布からそれぞれの主流領域１７同士と副流領域１７同士をつなぐことで部屋全体の主流領域１７と副流領域１８を予測する。まず、隣り合った浮遊塵埃検知手段１２Ａ又は１２Ｂ又は１２Ｃの周囲が同じ主流領域１７同士や同じ副流領域１８同士であると予測された場合には、それらは１つの大きな主流領域１７または副流領域１８の一部であると予測しこれらをつないでいく。
【００６３】
ここで浮遊塵埃検知手段１２Ｃは、そのごく近傍は副流領域１８であるがそのすぐ周囲は主流領域１７であるとあらかじめ予測されている。このため浮遊塵埃検知手段１２Ｃを挟む浮遊塵埃検知手段１２Ａは互いにつなぐことが可能であると判断する。
【００６４】
隣り合った浮遊塵埃検知手段１２Ａ又は１２Ｂ又は１２Ｃの周囲が同じ領域であった場合に、それらを一つにまとめる作業を行ったため、室内には主流領域１７と副流領域１８が隣り合って存在するように予測されている。また部屋の中央部が主流領域１７に属するのか副流領域１８なのかを予測できていない。
【００６５】
ここで、気流予測手段１３は、さらに主流領域１７同士と副流領域１８同士をつなぎ合わせる作業を行う。主流領域１７同士をつなぎ合わせた場合における部屋全体の領域の空間分布は、図５（ａ）に示すようになり、主流領域１８同士をつなぎ合わせた場合には図５（ｂ）に示すように部屋全体の空間分布が予測される。
【００６６】
ここで気流予測手段１３は、浮遊塵埃１５の量を用いて予測を行う。主流領域１７が１つの領域であった場合に、主流１６によって浮遊塵埃１５は、主流領域１７全体に流れるため主流領域１７内における浮遊塵埃１５の量は、場所によらずほぼ同じ量だと考えられる。逆に主流領域１７が２つにわかれていた場合には、送風機１０による浮遊塵埃１５の
回収速度は異なり、また一方の主流領域１７内部で浮遊塵埃１５が新たに発生した場合には、新たな浮遊塵埃１５はその発生した主流領域１７の内部を移動し、もう一方の主流領域１７へはほとんど移動しないためそれぞれの主流領域１７の浮遊塵埃１５の量は異なる。
【００６７】
そのため浮遊塵埃１５の量を比較することで主流領域１７は、図５（ａ）に示されたように主流領域１７同士をつなぎ合わせ、最終的な空間分布の予測とする。
【００６８】
また、続いて送風機１０の動作が変化し、弱風となった場合には、２つの主流１６が形成される。その場合には、主流領域１７が２つ形成され、部屋の中央には副流１８が形成される。
【００６９】
この場合に、塵埃検知手段１２Ａ、１２Ｂ、１２Ｃのそれぞれの周囲の流れを考えると、図４と図６に示すように塵埃検知手段１２Ａ〜Ｃの周囲では主流１６はあまり変化せず部屋の中央で大きな変化が発生しているが、この場合も送風機１０が強く動いていた場合と同様に予測を行っていく。
【００７０】
塵埃検知手段１２Ａ、１２Ｂ、１２Ｃのそれぞれの周囲の予測を行い、隣り合った浮遊塵埃検知手段１２Ａ又は１２Ｂ又は１２Ｃの周囲が同じ領域であった場合にそれらを一つにまとめる作業を行う。
【００７１】
そしてさらに先ほどと同様に、主流領域１７同士と副流領域１８同士をつなぎ合わせる作業を行う。主流領域１７同士をつなぎ合わせた場合における部屋全体の領域の空間分布は、図７（ａ）に示すようになり、主流領域１８同士をつなぎ合わせた場合には図７（ｂ）に示すように部屋全体の空間分布が予測される。
【００７２】
ここで気流予測手段１３は、さらに浮遊塵埃１５の量を用いて予測を行う。送風機１０が弱風で動作していた場合に浮遊塵埃検知手段１２Ａ〜Ｃのそれぞれで検知される浮遊塵埃１５の数が異なるため、主流領域１７が２つに分かれていることが分かる。主流領域１７は、図７（ｂ）に示されたように副流領域１８同士をつなぎ合わせ、最終的な空間分布の予測とする。
【００７３】
（実施の形態３）
図８（ａ）は、本発明の本実施の形態３における室内用集塵装置が設置された室内の平面図を示すものであり、図８（ｂ）は、同室内用集塵装置の動作変更後の室内の平面図である。
【００７４】
図８（ａ）において、室内には室内用集塵装置２０が配置されている。室内用集塵装置２０は、内部に送風機１０Ａとフィルター２１を有する構成となっている。また部屋の対角に設けられた送風機１０Ｂも、室内用集塵装置２０と連携して動作する構成となっている。また室内には、気流計測装置として、複数の浮遊塵埃検知手段１２Ａ、１２Ｂと、気流予測手段１３が設けられており、気流予測手段１３は、室内用集塵装置２０の内部に設けられている。また室内には、家具１４が配置され、浮遊塵埃１５が存在する。
【００７５】
室内用集塵装置２０より吹き出された空気は、室内を流れ、送風機１０Ｂを経て再び室内用集塵装置２０へと吸引される主流１６となっている。浮遊塵埃検知手段１２Ａ，１２Ｂのそれぞれは、周囲の空気を吸引し吸引した空気に含まれる浮遊塵埃１５の数を調べる構成となっている。また、浮遊塵埃検知手段１２Ａ、１２Ｂのそれぞれは、気流予測手段１３と通信可能に構成されている。
【００７６】
浮遊塵埃検知手段１２Ａの周囲では、主流１６によって浮遊塵埃１５が少なくなっている。また逆に残りの浮遊塵埃検知手段１２Ｂの周囲は、浮遊塵埃１５が多く浮遊している。
【００７７】
図８（ｂ）において、室内用集塵装置２０は向きを大きく変え主流１６を変化させている。その結果として主流領域１７と副流領域１８の空間分布が変化している。
【００７８】
以上のように構成された本実施の形態における室内用集塵装置２０について、以下その動作、作用を説明する。
【００７９】
まず室内用集塵装置２０が動作すると、主流１６を弱く発生させ浮遊塵埃１５を回収していく。続いて室内用集塵装置２０は、気流計測装置を動作させる。気流計測装置では、浮遊塵埃検知手段１２Ａ、１２Ｂの検知結果をもとに、気流予測手段１３によって主流領域１７と副流領域１８の空間分布を予測する。
【００８０】
空間分布を予測した結果、副流領域１８が存在する場合に、室内集塵装置２０は主流１６を変化させていく。この変化に伴って、主流領域１７と副流領域１８の空間分布が変化し、図８（ｂ）に示すようにこれまで浮遊塵埃１５が回収できない副流領域１８であった領域が、浮遊塵埃１５を回収できる主流領域１７へと変化する。
【００８１】
これによって当初の主流１６では回収できなかった領域の浮遊塵埃１５を回収できるようになるが、一方で、これまで主流領域１７であった領域が逆に副流領域１８となってしまう。そのため室内用集塵装置２０は主流１６を周期的に変化させる。
【００８２】
室内集塵装置２０は、それぞれ主流１６を変化させた場合の主流領域１７と副流領域１８の空間分布を記憶し、複数の送風パターンを順番に行うことで、部屋中の塵埃を洩れなく回収することができる。
【００８３】
上記実施の形態における構成は、必要に応じて適宜組み合わせて使用することができるものであり、実施の形態そのものの構成に限られるものではない。
【産業上の利用可能性】
【００８４】
以上のように、本発明にかかる気流計測装置及び家庭用集塵装置は、簡潔な構成で室内の気流を詳しく調べることができるため、送風機を用いた業務用、商業用の各種集塵装置に広く適用できる。
【符号の説明】
【００８５】
１０  送風手段
１２Ａ、１２Ｂ、１２Ｃ  浮遊塵埃検知手段（気流計測装置）
１３  気流予測手段（気流計測装置）
１５  浮遊塵埃
１７  主流領域
１８  副流領域
２０  室内用集塵装置
【図１】
2011024844.tif 000003
【図２】
2011024844.tif 000004
【図３】
2011024844.tif 000005
【図４】
2011024844.tif 000006
【図５】
2011024844.tif 000007
【図６】
2011024844.tif 000008
【図７】
2011024844.tif 000009
【図８】
2011024844.tif 000010
【図９】
2011024844.tif 000011
【図１０】
2011024844.tif 000012